(57)【要約】【課題】本発明の課題は、事前の処置を施すことなく、そのまま電子レンジによって加熱することができ、急激な加熱によっても容器が破裂したり内容物が噴出したりすることがなく、加熱後の内容物の取り出しも安全に行いうる長期保存可能な包装袋を提供するものである。【解決手段】袋の胴部に背シール部を設け、該背シール部は両端のシール幅が広く、中央部に向って連続的にシール幅が狭くなるシール部と、該シール部で外側を囲われ内側が袋の収納部につながっている空間部を有することを特徴とする袋である。【選択図】図１
2010076787.tif 000002
【特許請求の範囲】
【請求項１】
袋の胴部に背シール部を設け、該背シール部は両端のシール幅が広く、中央部に向って連続的にシール幅が狭くなるシール部と、該シール部で外側を囲われ内側が袋の収納部につながっている空間部を有することを特徴とする袋。
【請求項２】
背シール部の両端の少なくとも一方には袋の収納部の近傍の周端部に、背シール部をカットするための切断開始部が設けられていることを特徴とする請求項１に記載の袋。
【請求項３】
袋の背シール部と平行な端部にはガセット部を有し、起立可能であることを特徴とする請求項１または２に記載の袋。
【請求項４】
袋の背シール部の両端はコーナー部を有し、コーナー部の周縁は曲線を形成し、コーナー部の曲線のいずれの位置からも背シール部の空間部までの距離は、２０ｍｍ以上あることを特徴とする請求項１〜３のいずれか１項に記載の袋。
【請求項５】
背シール部の中央部の狭いシール幅が２〜５ｍｍであることを特徴とする請求項１〜４のいずれか１項に記載の袋。
【請求項６】
背シール部のシール部の外側に無シール部を有することを特徴とする請求項１〜５のいずれか１項に記載の袋。
【発明の詳細な説明】
【技術分野】
【０００１】
本発明は、食品等を封入する包装袋に関し、特に電子レンジによる加熱が可能な包装袋に関する。
【背景技術】
【０００２】
食品等を封入して、長期間の保存を可能とする包装体が知られている。特にレトルト殺菌処理を施したレトルト包装体は、長期間の保存性に加えて、使用時には袋ごと加熱して内容物を温めることができる利便性からさまざまな食品に広く利用されている。
アルミ箔を使用したレトルト包装体は、電子レンジによって加熱することができないが、近年、アルミ箔を用いないレトルト包装材料の開発により、電子レンジによる直接加熱が可能なレトルト包装体が普及してきた。
【０００３】
包装体を電子レンジによって加熱する場合、内容物に含まれる水分が沸騰して内圧が高まり、包装体が破裂することを防ぐために、蒸気抜きのための工夫を施した包装袋が種々提案されている。
【０００４】
特許文献１に記載された電子レンジ用包装体は、その実用新案請求の範囲に記載された通り、耐熱性、耐圧性を有する単層若しくは積層フィルムを用い、電子レンジ用の食品等を収容し、外周をシールする包装体において、内容物収容部の外部に軟接着による隔室を設け、該隔室は１又は２以上のパンチ穴によって解放されていることを特徴とする電子レンジ用包装体である。
【０００５】
この電子レンジ用包装体は、発生する蒸気圧によって軟接着部分のシールをはがし、パンチ穴から蒸気を逃す構造となっているため、蒸気の脱出する経路はパンチ穴によって決定されており、このため万一急激な加熱により、パンチ穴から逃げ切れないような大量の蒸気が発生した場合には、包装袋が破裂する恐れがある。
また、加熱後の包装体は、全体が過熱されて取扱い難い状態となるが、この過熱された包装体から内容物を取り出す際に、どのようにして開封するのかについての記載がない。
また軟接着部は、包装体の保存安定性に対して悪影響を及す恐れがある。
【０００６】
特許文献２に記載された電子レンジ用包装体は、その特許請求の範囲に記載された通り、重ね合わされた一対の包装シートの内面同士を接着してなる背貼り部を有する包装袋内に被調理品が収納されてなる電子レンジ用包装体において、前記背貼り部には収容空間に連通する第１通路と該第１通路の上方位置から背貼り部の長手方向に延設された第２通路とからなる蒸気通路が形成され、しかも、第２通路は開口可能に構成されていることを特徴とする電子レンジ用包装体である。
【０００７】
この電子レンジ用包装体は、予め形成された蒸気通路の一端を、使用者が開封することによって蒸気の逃げ道を確保するものであるから、加熱に先立って蒸気通路を開封するという余計な手間がかかるものであり、万一開封し忘れた場合には、包装体が破裂する危険性を持っている。
また特許文献１と同様、開封方法についての記載が見当らない。
【０００８】
特許文献３に記載された特許出願人の出願による電子レンジ用食品包装袋は、その特許請求の範囲に記載された通り、軟包材フィルムを用いて製袋された包装袋であって少なくとも背シール部を備えた電子レンジ用食品包装袋において、前記背シール部の一部領域に狭いシール幅を以て形成した包装袋の内圧により剥離開口可能な開口用シール部を設けた
ことを特徴とする電子レンジ用食品包装袋である。
【０００９】
この電子レンジ用食品包装袋は、背シール部の一部領域に狭いシール幅の開口用シール部を設けることにより、発生する蒸気の内圧によって開口部を開口させるものであるため、使用者が予め開口部を切開いておくといった手間がかからないものではあるが、包装袋本体部分と開口部とが接近しているため、内容物が蒸気とともに噴出する恐れがあった。また、過熱した内容物を取り出すための適切な手段を欠いていた。
【００１０】
特許文献４に記載された電子レンジ用包装袋は、その特許請求の範囲に記載された通り、積層シートから製袋されて被調理品を収容空間部内に収容可能な電子レンジ用包装袋において、前記積層シートのうちの少なくとも一層に切込部が形成され、且つ、該切込部は、前記積層シートの内面同士が接着された接着部１２の近傍に位置してなることを特徴とする電子レンジ用包装袋である。
【００１１】
この電子レンジ用包装袋は、積層シートに予め切込部を形成しておき、さらに蒸気内圧による応力がこの切込部に集中するように特殊な形状の接着部を設けたものであるから、予め使用者が開口部を開くことなく、発生する蒸気の圧力によって自動的に開口するものであるが、包装袋を製造する過程で切込部を形成する工程が増えるばかりでなく、積層シートの１層だけに切込みを入れるという精密な作業を必要とし、製品の切込部の深さがばらつく要素を抱えているため安定した製品が得難いという問題がある。
【００１２】
特許文献５に記載された密封合掌包装容器は、その特許請求の範囲に記載された通り、合掌部分におけるシール部に内圧や熱に対する剥離強度の小さい部分を備え、その剥離強度の小さい部分に対応させて剥離のための補助手段を付設してあることを特徴とする密封合掌包装容器である。
【００１３】
この密封合掌包装容器は、特許文献１〜４と同様、電子レンジ等による加熱時の破裂防止を目的としたものである。この密封合掌包装容器においては、合掌シール部の一部に剥離強度の小さい部分を設け、さらにこの剥離強度の小さい部分に対応させて、透孔等の補助手段を付設したものであるため、使用者が予め蒸気放出孔を設けるといった手間がかからないものではあるが、剥離強度の小さい部分の大きさや、透孔等の補助手段の大きさが予め決ったものであるため、急激な加熱によって大量の蒸気が発生した場合等に、容器が破裂する危険性がある。また、既に述べたように、剥離強度の小さい部分を設けることは、包装体の保存性に悪影響を及す恐れがある。
【特許文献１】実開平5-58670号公報
【特許文献２】特開平10-72070号公報
【特許文献３】特開平11-29181号公報
【特許文献４】特開2000-25850号公報
【特許文献５】特開2001-270536号公報
【発明の開示】
【発明が解決しようとする課題】
【００１４】
本発明の課題は、事前の処置を施すことなく、そのまま電子レンジによって加熱することができ、急激な加熱によっても容器が破裂したり内容物が噴出したりすることがなく、加熱後の内容物の取り出しも安全に行いうる長期保存可能な包装袋を提供することである。
【課題を解決するための手段】
【００１５】
上記の課題を解決するための手段として、請求項１に記載の発明は、袋の胴部に背シール部を設け、該背シール部は両端のシール幅が広く、中央部に向って連続的にシール幅が
狭くなるシール部と、該シール部で外側を囲われ内側が袋の収納部につながっている空間部を有することを特徴とする袋である。
【００１６】
また、請求項２に記載の発明は、背シール部の両端の少なくとも一方には袋の収納部の近傍の周端部に、背シール部をカットするための切断開始部が設けられていることを特徴とする請求項１に記載の袋である。
【００１７】
また、請求項３に記載の発明は、袋の背シール部と平行な端部にはガセット部を有し、起立可能であることを特徴とする請求項１または２に記載の袋である。
【００１８】
また、請求項４に記載の発明は、袋の背シール部の両端はコーナー部を有し、コーナー部の周縁は曲線を形成し、コーナー部の曲線のいずれの位置からも背シール部の空間部までの距離は、２０ｍｍ以上あることを特徴とする請求項１〜３のいずれか１項に記載の袋である。
【００１９】
また、請求項５に記載の発明は、背シール部の中央部の狭いシール幅が２〜５ｍｍであることを特徴とする請求項１〜４のいずれか１項に記載の袋である。
【００２０】
また、請求項６に記載の発明は、背シール部のシール部の外側に無シール部を有することを特徴とする請求項１〜５のいずれか１項に記載の袋である。
【発明の効果】
【００２１】
本発明に係る袋は、袋の胴部に背シール部を設け、該背シール部は両端のシール幅が広く、中央部に向って連続的にシール幅が狭くなるシール部と、該シール部で外側を囲われ内側が袋の収納部につながっている空間部を有するものであるから、この袋に水分を含む内容物を充填した包装体を、電子レンジによって加熱した場合、発生する蒸気の圧力によって袋が膨張し、背シール部の中央部のシール幅の最も狭いシール部に熱と圧力が集中するため、このシール部分が自動的に開口し、発生した蒸気が抜ける。このため事前に開口部を形成する等の処置を施すことなく、包装体を直接電子レンジで加熱することができる。
【００２２】
発生する蒸気の熱と圧力によって開口する背シール部のシール部は、背シール部の中央部が最も狭く、外側に向って徐々に広くなっているため、発生する蒸気の熱と圧力によって自動的に開口幅が広くなり、発生した蒸気を逃すので、急激な加熱によって一度に大量の蒸気が発生した場合にも、袋が破裂することはない。
【００２３】
背シール部中のシール部は、自動的に開口する性質をシール部の形状によって発現しているため、軟接着タイプのシール等のシール強度の弱いものでなくても、通常のシール強度を有するシールであっても可能であり、従って包装体の保存性に悪影響を及すことはない。
【００２４】
また、背シール部に収納部につながった空間部を有しているため、内容物と蒸気噴出部との間に距離があるため、蒸気の噴出口から内容物が蒸気とともに噴出する恐れが少ない。
【００２５】
また、背シール部の両端の少なくとも一方には袋の収納部の近傍の周端部に、背シール部をカットするための切断開始部が設けられている場合には、鋏等を用いなくても包装体の開口が手で容易にできる。
【００２６】
また、袋の背シール部と平行な端部にガセット部を有し、袋が起立可能である場合には
、この袋を用いた商品を陳列する際の陳列効果が高まる。
【００２７】
また、袋の背シール部の両端にコーナー部を有し、コーナー部の周縁は曲線を形成し、コーナー部の曲線のいずれの位置からも背シール部の空間部までの距離は、２０ｍｍ以上ある場合にあっては、包装体が加熱された直後の状態であってもコーナー部の温度はすぐ下がるので、コーナー部を両手で持つことが可能であり、またコーナー部の周縁が曲線状となっているので、持ちやすく取扱い性に優れている。
【００２８】
また、背シール部の中央部の狭いシール幅が２〜５ｍｍである場合には、保存性を低下させることなく、自動開口性を確保することが安定的に可能である。
【００２９】
また、背シール部のシール部の外側に無シール部を有する場合には、背シール部の中央部のシール幅の最も狭い部分のシール幅が、背シール部の化粧カットによってばらつくことがないので、最小のシール幅を一定に維持することが容易となる。
【発明を実施するための最良の形態】
【００３０】
図面に従って、本発明に係る袋の実施形態について詳細に説明する。
図１は、本発明に係る袋の一実施態様を示した斜視図である。また図２は、本発明に係る袋に内容物を充填し、加熱した時の状態を示した斜視図である。図３は、背シール部の説明図である。
図１に示したように、本発明に係る袋１は、袋の胴部２に背シール部３を設けたものであり、背シール部３は両端のシール幅が広く、中央部に向ってシール幅が連続的に狭くなるシール部４と、シール部４で外側を囲われ内側が袋の収納部６につながっている空間部５を有するものである。空間部５は、底辺の幅が、袋の収納部６の幅にほぼ等しく、高さが背シール部３の高さよりも小さい空間である。図１では、扁平なかまぼこ型に近い形状であるが、２等辺三角形や上辺が短い台形に近い形状でも良い。
図１の実施態様においては、袋１の周縁部がシールされて周縁シール部８を形成しており、開口部１０から内容物を収納できるようになっている。また背シール部３には、コーナー部１１が形成され、さらに切断開始部７が両側に設けられている。
【００３１】
図２は、本発明に係る袋に内容物を充填し、加熱した時の状態を示した斜視図である。袋の収納部６に内容物を収納し、トップシール部１６をシールして密封することにより、包装体が得られる。包装体を電子レンジで加熱すると、内容物に含まれていた水分が加熱されて蒸発し、水蒸気となって包装体内部の温度と圧力が上がる。この時、空間部５が圧力によって膨張する結果、背シール部３のシール部４のうちで最もシール幅の狭い中央部に蒸気の熱と圧力が集中する。その結果、この中央部分が自動的に開口し、蒸気１５が噴出する。この時、空間部５が存在するために内容物と蒸気噴出口との間に距離ができ、このため、蒸気の噴出に伴って内容物が一緒に飛出すといった問題が生じにくい。
【００３２】
背シール部３のシール部４は、その他の周縁シール部８やトップシール部１６よりも、シール強度を弱くする等の特別の処置を施す必要はなく通常のシール強度でも良いため、内容物の保存性に悪影響を及す心配はない。
もちろん、内容物の保存性に悪影響を及さない範囲で、背シール部のシール部のシール強度を、他の周縁シール部やトップシール部等よりも弱くすることは、差支えない。
【００３３】
加熱の終了した直後の包装体は、全体が過熱されており、取扱いに当っては火傷をしないように注意を要するものであるが、背シール部３の高さを十分にとり、コーナー部１１の周縁から空間部５までの距離が少なくとも２０ｍｍ以上あるようにすることにより、この部分の温度がすぐに低下するのでこの部分を手で持って容易に取扱うことが可能となる。
【００３４】
また、背シール部３の両端の少なくとも一方に、袋の収納部の近傍の周縁部に、背シール部をカットするための切断開始部７を設けることにより、鋏等の道具を用いなくても、手で背シール部をカットし、内容物を取出すことが可能である。
【００３５】
図３は、本発明に係る袋の背シール部３の説明図である。
図３に示された実施態様においては、背シール部３のシール部４は、アーチ型の空間部５によって、シール幅１３が中央部において最も狭くなるように形成されており、背シール部３の両端にはコーナー部１１が設けられている。コーナー部１１は、手で持ちやすいように角が丸く曲線状に形成されており、コーナー部の外縁部は、空間部５から２０ｍｍ以上の距離を保っている。また背シール部３の両端には背シール部をカットするための切断開始部７が設けられている。切断開始部７の形状としては、図３に示されたようなＶ字型に限らず、Ｉ字型、Ｕ字型、亀甲型等任意である。切断開始部７は、背シール部３の少なくとも一方の側に設けることが望ましく、両側に設けた場合には最も使い勝手が良好となる。
【００３６】
背シール部３の中央部の狭いシール幅１３は、２ｍｍ以上５ｍｍ以下であることが望ましい。２ｍｍ以下であると、包装体の保存性能に悪影響を及す恐れがある。また５ｍｍ以上であると、加熱時の開口が適切に行われない恐れがある。
【００３７】
図４は、本発明に係る袋の背シール部の他の実施態様を示した説明図である。
図４に示された実施態様においては、背シール部３のシール部４の外側に無シール部１４が設けられている。通常、シール部は、シール後に化粧断ちをして形状を整えることが行われるが、図３のような形状であると、シール部４の最も狭い中央部のシール幅は、化粧断ちのばらつきによってばらつく恐れがある。しかし図４の実施態様に見られるように、無シール部１４を設けた場合には、シール部４の最も狭いシール幅は、シール機の熱版の形状によって決定されるので、ばらつく恐れがない。
【００３８】
図５は、本発明に係る袋の他の実施態様を示した斜視図である。
図５に示された実施態様においては、袋の胴部２は、１枚のフィルムの折曲げによって形成されており、周縁シール部８をシールすることによって密封される。
【００３９】
図６は、本発明に係る袋の他の実施態様を示した斜視図である。
図６に示された実施態様においては、背シール部３と平行な端部にガセット部１２が形成されており、ボトムシール部９並びにガセット部１２を底面として起立可能である。
このような形状とした場合には、商品を立てて陳列することが可能となるので、陳列効果が高まる。なお背シール部３のシール部４の形状としては、図４に示したものと同様に無シール部１４を有する形状とした。
【００４０】
本発明に係る袋を構成するフィルム基材については、通常レトルトパウチに使用される一般的な軟包装フィルムが使用できるが、電子レンジでの加熱を前提とした場合には、アルミ箔を使用しない構成であることが必要である。層構成としては、基材層／接着剤層／中間層／シーラント層の４層構成の軟包装フィルムが一般的であるが、必ずしもこの層構成に限定されるものではない。
【００４１】
基材層としては、二軸延伸ポリプロピレンフィルム、二軸延伸ポリエステルフィルム、二軸延伸ナイロンフィルムなどが使用される。基材層の二軸延伸ポリエステルフィルムとして予め金属酸化物等を蒸着した無機酸化物蒸着ポリエステルフィルムを使用してもよい。
【００４２】
接着剤層としては、水酸基を有する主剤とイソシアネート基を有する硬化剤を混合して使用するポリウレタン系接着剤が好ましく使用される。
【００４３】
中間層は、主に包装体にガスバリア性を付与したり、各種機械的特性を向上させる目的で用いられるものであり、単層または多層フィルムからなる。単層フィルムとしては、無延伸ナイロンフィルム、エチレン・ビニルアルコール共重合体フィルム、塩化ビニリデンフィルム、ポリビニルアルコールフィルム、アクリルフィルム、塩化ビニリデン樹脂コートセロファン等が使用され、多層フィルムとしては、酸化アルミニウム、酸化珪素などの金属酸化物を蒸着したポリエステルフィルムや、上述した単層フィルムを積層した多層フィルムあるいは、蒸着ポリエステルフィルムにさらに単層フィルムを積層した多層フィルムなどが使用される。
【００４４】
シーラント層としては、ポリオレフィン系樹脂またはポリオレフィン系樹脂フィルムが一般的に使用され、具体的には、低密度ポリエチレン、中密度ポリエチレン、直鎖状低密度ポリエチレン、エチレン・酢酸ビニル共重合体などのエチレン系樹脂や、ホモポリプロピレン、プロピレン・エチレンランダム共重合体、プロピレン・エチレンブロック共重合体、ポリプロピレン・αオレフィン共重合体などのポリプロピレン系樹脂などが使用される。
以下実施例に基づき、本発明に係る袋についてさらに具体的に説明する。
【実施例１】
【００４５】
軟包装フィルム基材として、次に示した層構成のフィルムを使用し、図１に示されたような形態の袋を作成した。外形寸法は、短辺１２ｃｍ、長辺１５ｃｍ、背シール部の高さ７．５ｃｍとした。また背シール部のシール幅は、中央部の最も狭い部分で３ｍｍとなるようにした。
（フィルム基材の層構成）
無機酸化物蒸着ポリエステルフィルム（１２μｍ）／ナイロンフィルム（１５μｍ）／ポリプロピレンフィルム（５０μｍ）
作成した袋に内容物としてパスタソースを１５０ｇ充填し、トップシール部をシールした後、レトルト殺菌処理を施して包装体とした。
この包装体を背シール部を上にして高周波出力500Ｗの電子レンジに入れ、３分間加熱すると、背シール部の中央部が内部の蒸気圧によって自動的に開口し、蒸気が噴出した。
コーナー部を持って包装体を持ち上げ、切断開始部から背シール部を切断して除去すると空間部が開口して内容物を容易に取出すことができた。
【実施例２】
【００４６】
軟包装フィルム基材として、次に示した層構成のフィルムを使用し、図６に示されたような形態の袋を作成した。外形寸法は、短辺（底辺）１２ｃｍ、長辺（高さ）１５ｃｍ、背シール部の高さ７．５ｃｍとした。また背シール部のシール幅は、中央部の最も狭い部分で３ｍｍとなるようにした。
（フィルム基材の層構成）
ポリエステルフィルム（１２μｍ）／無機酸化物蒸着ポリエステルフィルム（１２μｍ）／ナイロンフィルム（１５μｍ）／ポリプロピレンフィルム（５０μｍ）
作成した袋に内容物としてパスタソースを１５０ｇ充填し、トップシール部をシールした後、レトルト殺菌処理を施して包装体とした。
この包装体を背シール部を上にして高周波出力500Ｗの電子レンジに入れ、３分間加熱すると、背シール部の中央部が内部の蒸気圧によって自動的に開口し、蒸気が噴出した。
コーナー部を持って包装体を持ち上げ、切断開始部から背シール部を切断して除去すると空間部が開口して内容物を容易に取出すことができた。
【図面の簡単な説明】
【００４７】
【図１】本発明に係る袋の一実施態様を示した斜視図。
【図２】本発明に係る袋に内容物を充填し、加熱した時の状態を示した斜視図。
【図３】本発明に係る袋の背シール部の説明図。
【図４】本発明に係る袋の背シール部の他の実施態様を示した説明図。
【図５】本発明に係る袋の他の実施態様を示した斜視図。
【図６】本発明に係る袋の他の実施態様を示した斜視図。
【符号の説明】
【００４８】
１・・・袋
２・・・胴部
３・・・背シール部
４・・・背シール部のシール部
５・・・空間部
６・・・収納部
７・・・切断開始部
８・・・周縁シール部
９・・・ボトムシール部
１０・・・開口部
１１・・・コーナー部
１２・・・ガセット部
１３・・・シール幅
１４・・・無シール部
１５・・・蒸気
１６・・・トップシール部
【図１】
2010076787.tif 000003
【図２】
2010076787.tif 000004
【図３】
2010076787.tif 000005
【図４】
2010076787.tif 000006
【図５】
2010076787.tif 000007
【図６】
2010076787.tif 000008